(57)【要約】    【課題】  専用設備を使わずに簡単安価に一方向クラッチを組み付けることができる保持器およびそれを用いた一方向クラッチおよびその一方向クラッチの組み付け方法を提供すること。    【解決手段】  保持器の１つの環状部３の外周および柱部４の一部分１５に、非係合外周面である外周円筒面１３,１７を形成すると共に、他方の環状部２の外端および柱部４の他の部分１４に、稜９からなる係合部を形成する。上記外周円筒面１３,１７は、稜９の外接円よりも所定寸法小さな円の内側に存在する。【選択図】  図１
2005163991.tif 000002
【特許請求の範囲】
【請求項１】
２つの環状部の間を複数の柱部で連結して複数のポケットを形成すると共に、外周側に周方向の外輪との相対回転を阻止するための係合部を有する保持器であって、
一方の上記環状部の外端から柱部の軸方向の一部に至ると共に、上記係合部の外接円よりも所定寸法小さな円の内側に位置する非係合外周面を備えることを特徴とする保持器。
【請求項２】
請求項１に記載の保持器において、
上記非係合外周面は、円筒面であることを特徴とする保持器。
【請求項３】
２つの環状部の間を複数の柱部で連結して複数のポケットを形成すると共に、内周側に周方向の内輪との相対回転を阻止するための係合部を有する保持器であって、
一方の上記環状部の外端から柱部の軸方向の一部に至ると共に、上記係合部の外接円よりも所定寸法大きな円の外側に位置する非係合内周面を備えることを特徴とする保持器。
【請求項４】
請求項３に記載の保持器において、
上記非係合内周面は、円筒面であることを特徴とする保持器。
【請求項５】
断面略多角形状のカム面である内周係合面を有する外輪と、
円周面である外周面を有する内輪と、
上記内周係合面と上記外周面との間に配置された請求項１または２に記載の保持器と、
上記保持器のポケットに配置されたころと、
上記ころを周方向の一方に付勢する付勢手段と
を備えることを特徴とする一方向クラッチ。
【請求項６】
円周面である内周面を有する外輪と、
断面略多角形状のカム面である外周係合面を有する内輪と、
上記内周面と上記外周係合面との間に配置された請求項３または４に記載の保持器と、
上記保持器のポケットに配置されたころと、
上記ころを周方向の一方に付勢する付勢手段と
を備えることを特徴とする一方向クラッチ。
【請求項７】
請求項１または２に記載の保持器のポケットにころを配置すると共に、上記保持器の柱部と上記ころの間に付勢部材を配置した保持器アセンブリを形成する工程と、
一方向クラッチの外輪の断面略多角形状のカム面である内周係合面と内輪の円周面である外周面との間においてころが遊嵌する位置に、上記保持器アセンブリ中のころを配置するように、上記保持器アセンブリの保持器の非係合外周面を、一方向クラッチの外輪の内周係合面と内輪の外周面との間に非係合状態で軸方向から挿入する工程と、
上記保持器の係合部が、外輪の係合部と周方向の位置が一致するように、上記保持器アセンブリを回転させた後、上記保持器アセンブリを内輪の外周面と外輪の内周係合面との間に軸方向にさらに挿入して、上記保持器の係合部と、上記外輪の係合部とを係合させる工程と
を備えることを特徴とする一方向クラッチの組み付け方法。
【請求項８】
請求項３または４に記載の保持器のポケットにころを配置すると共に、上記保持器の柱部と上記ころの間に付勢部材を配置した保持器アセンブリを形成する工程と、
一方向クラッチの外輪の円周面である内周面と内輪の断面略多角形状のカム面である外周係合面との間においてころが遊嵌する位置に、上記保持器アセンブリ中のころを配置するように、上記保持器アセンブリの保持器の非係合内周面を、一方向クラッチの外輪の内周面と内輪の外周係合面との間に非係合状態で軸方向から挿入する工程と、
上記保持器の係合部が、内輪の係合部と周方向の位置が一致するように、上記保持器アセンブリを回転させた後、上記保持器アセンブリを内輪の外周係合面と外輪の内周面との間に軸方向にさらに挿入して、上記保持器の係合部と、上記内輪の係合部とを係合させる工程と
を備えることを特徴とする一方向クラッチの組み付け方法。
【発明の詳細な説明】
【技術分野】
【０００１】
本発明は、保持器およびそれを用いた一方向クラッチおよびその一方向クラッチの組み付け方法に関する。
【背景技術】
【０００２】
従来、一方向クラッチに用いる保持器としては、図６に示すものがある。この保持器は、第１の環状部８１と、この第１の環状部８１に対向する第２の環状部８２と、上記第１の環状部８１と上記第２の環状部８２との間を連結する６つの柱部８５とを有する。この６つの柱部８の間に、６つのポケット８７を形成している。尚、９２は、図示しないコイルスプリングを取り付ける突出部である。
【０００３】
上記第１および第２の環状部８１,８２の外周面を、同じ略正六角形に形成している。また、上記柱部８５は、第１の環状部８１の外周面の６つの稜と、第２の環状部８２の外周面の６つの稜とを軸方向に延長して形成している。上記柱部の外端は、多面体の稜９０となっている。
【０００４】
上記２つの環状部８１,８２の断面略正六角形の外周面と、上記柱部８５の外周面とは、一方向クラッチを組み付けたとき、図示しない一方向クラッチの外輪の断面略正六角形の内周カム面に係合するようになっており、２つの環状部８１,８２の外端の間を端から端まで軸方向に延びる上記稜９０は、一方向クラッチを組み付けたとき、上記外輪の断面略正六角形の内周カム面の頂角と係合して、上記外輪に対する保持器の周方向の回転を阻止する係合部になっている。
【０００５】
図６に示す保持器は、以下のように組み付けられる。先ず、保持器のポケット８７に図示しないくさび部材としてのころを配置すると共に、上記保持器の柱部８５と上記ころの間に、突出部９２に取り付けた図示しないコイルスプリングを配置して、上記ころをコイルスプリングで保持器柱部に付勢して保持器アセンブリを形成する。次に、一方向クラッチの図示しない外輪の内周カム面の頂角の位相と、上記保持器の稜９０の位相とを一致させて、上記外輪の内周カム面と図示しない内輪の外周円筒面との間で、上記ころの端面を内、外輪の端面に当接させてから、専用設備で上記外輪と内輪の間における径方向の距離が狭いくさび位置と同位相の位置に存在している上記ころを、上記外輪の内周カム面と内輪の外周面の間の遊嵌位置と同位相の位置まで周方向に移動させる。最後に、上記ころが遊嵌位置と同位相の位置にある状態で、一方向クラッチの外輪の内周カム面と内輪の外周面との間に保持器アセンブリを軸方向に押し込んで、上記ころを外輪の内周カム面と内輪の外周面との間に位置させて、一方向クラッチの組み付けを完了する。
【０００６】
また、他の一方向クラッチに用いる保持器としては、特許文献１（特開平２００１−１４１０３７号公報）に示されているものがある。
【０００７】
この特許文献１に記載の保持器は、内周面が正８角形になっていて、外周面が円筒面になっている。他の点は、図６に示した保持器と本質的に同じである。
【０００８】
しかしながら、図６に示す従来の保持器を用いた場合、一方向クラッチを組み付けるときに、外輪と内輪の間における径方向の距離がころの直径よりも狭い係合位置と同位相の位置に存在するころを、遊嵌位置と同位相の位置まで移動させる専用設備が必要であるという問題がある。
【０００９】
また、専用設備への外輪、内輪および保持器アセンブリのセッティングを必要とするので、一方向クラッチを組み付けるときの工数が増大して、一方向クラッチの組み付けコストが高くなるという問題がある。
【特許文献１】特開平２００１−１４１０３７号公報（第３図）
【発明の開示】
【発明が解決しようとする課題】
【００１０】
そこで、本発明の課題は、専用設備を使わずに簡単安価に一方向クラッチを組み付けできる保持器およびそれを用いた一方向クラッチおよびその一方向クラッチの組み付け方法を提供することにある。
【課題を解決するための手段】
【００１１】
上記目的を達成するため、第１の発明の保持器は、
２つの環状部の間を複数の柱部で連結して複数のポケットを形成すると共に、外周側に周方向の外輪との相対回転を阻止するための係合部を有する保持器であって、
一方の上記環状部の外端から柱部の軸方向の一部に至ると共に、上記係合部の外接円よりも所定寸法小さな円の内側に位置する非係合外周面を備えることを特徴としている。
【００１２】
上記第１の発明の保持器を用いて一方向クラッチを組み付けるときには、先ず、上記保持器のポケットにころを配置すると共に、上記保持器の柱部と上記ころとの間に付勢部材を配置して保持器アセンブリを形成する。次に、一方向クラッチの外輪の内周係合面と内輪の外周面との間においてころが遊嵌する遊嵌位置に、上記ころの一部分を配置するように、上記保持器アセンブリの保持器の非係合外周面を、一方向クラッチの外輪の内周係合面と内輪の外周面との間に軸方向から非係合状態で挿入する。最後に、上記保持器の係合部の周方向の位置と、外輪の係合部の周方向の位置が一致するまで、上記保持器アセンブリを回転させた後、上記保持器アセンブリを外輪の内周係合面と内輪の外周面との間に軸方向に最後まで挿入して、上記保持器の係合部と、外輪の係合部とを係合させて一方向クラッチの組み付けを完了する。
【００１３】
上記第１の発明の保持器によれば、一方の上記環状部の外端から柱部の軸方向の一部に至ると共に、上記保持器の係合部の外接円よりも所定寸法小さな円の内側に位置する非係合外周面を備えているので、上記保持器の係合部と外輪の係合部との周方向の位置を一致させて保持器アセンブリを一方向クラッチの外輪の内周係合面と内輪の外周面との間に挿入する前に、上記ころの一部分を、外輪の内周係合面と内輪の外周面との遊嵌位置に予め挿入できる。したがって、従来の一方向クラッチの組み付け方法のように、専用設備を用いてくさび位置付近にあるころを遊嵌位置付近まで移動させる必要がないので、第１の発明の保持器を用いれば、専用設備を必要とせずに簡単安価に一方向クラッチを組み付けできる。
【００１４】
また、一実施形態の保持器は、上記非係合外周面が、円筒面であることを特徴としている。
【００１５】
上記実施形態の保持器によれば、上記非係合外周面を円筒面にしたので、上記非係合外周面を簡単に加工できて、保持器を安価に製作できる。
【００１６】
また、第２の発明の保持器は、
２つの環状部の間を複数の柱部で連結して複数のポケットを形成すると共に、内周側に周方向の内輪との相対回転を阻止するための係合部を有する保持器であって、
一方の上記環状部の外端から柱部の軸方向の一部に至ると共に、上記係合部の外接円よりも所定寸法大きな円の外側に位置する非係合内周面を備えることを特徴としている。
【００１７】
上記第２の発明の保持器を用いて一方向クラッチを組み付けるときには、先ず、上記保持器のポケットにころを配置すると共に、上記保持器の柱部と上記ころとの間に付勢部材を配置して保持器アセンブリを形成する。次に、一方向クラッチの外輪の内周面と内輪の外周係合面との間においてころが遊嵌する位置に、上記ころの一部分を配置するように、上記保持器アセンブリの保持器の非係合内周面を、一方向クラッチの外輪の内周面と内輪の外周係合面との間に軸方向から非係合状態で挿入する。最後に、上記保持器の係合部の周方向の位置と、内輪の係合部の周方向の位置が一致するまで、上記保持器アセンブリを回転させた後、上記保持器アセンブリを外輪の内周面と内輪の外周係合面との間に軸方向に最後まで挿入して、上記保持器の係合部と、内輪の係合部とを係合させて一方向クラッチの組み付けを完了する。
【００１８】
上記第２の発明の保持器によれば、一方の上記環状部の外端から柱部の軸方向の一部に至ると共に、上記係合部の外接円よりも所定寸法大きな円の外側に位置する非係合内周面を備えているので、上記保持器の係合部と内輪の係合部との周方向の位置を一致させて保持器アセンブリを一方向クラッチの外輪の内周面と内輪の外周係合面との間に挿入する前に、上記ころの一部分を外輪の内周面と内輪の外周係合面との遊嵌位置に予め挿入できる。したがって、従来の一方向クラッチの組み付け方法のように、専用設備を用いてくさび位置付近にあるころを遊嵌位置付近まで移動させる必要がないので、第２の発明の保持器を用いれば専用設備を必要とせずに簡単安価に一方向クラッチを組み付けできる。
【００１９】
また、一実施形態の保持器は、上記非係合内周面が、円筒面であることを特徴としている。
【００２０】
上記実施形態の保持器によれば、上記非係合内周面を円筒面にしたので、上記非係合内周面を簡単に加工できて、保持器を安価に製作することができる。
【００２１】
また、第１の発明の一方向クラッチは、
断面略多角形状のカム面である内周係合面を有する外輪と、
円周面である外周面を有する内輪と、
上記内周係合面と上記外周面との間に配置された上記第１の発明の保持器と、
上記保持器のポケットに配置されたころと、
上記ころを周方向の一方に付勢する付勢手段と
を備えることを特徴としている。
【００２２】
上記第１の発明の一方向クラッチによれば、上記第１の発明の保持器を備えるので、上記保持器のポケットにころを配置すると共に、上記保持器の柱部と上記ころの間に付勢部材を配置した保持器アセンブリを、専用設備を使わずに、内輪の外周面と外輪の内周係合面との間に簡単安価に挿入できて、一方向クラッチを簡単安価に組み付けできる。
【００２３】
また、第２の発明の一方向クラッチは、
円周面である内周面を有する外輪と、
断面略多角形状のカム面である外周係合面を有する内輪と、
上記内周面と上記外周係合面との間に配置された上記第２の発明の保持器と、
上記保持器のポケットに配置されたころと、
上記ころを周方向の一方に付勢する付勢手段と
を備えることを特徴としている。
【００２４】
上記第２の発明の一方向クラッチによれば、上記第２の発明の保持器を備えるので、上記保持器のポケットにころを配置すると共に、上記保持器の柱部と上記ころの間に付勢部材を配置した保持器アセンブリを、専用設備を使わずに、内輪の外周係合面と外輪の内周面との間に簡単安価に挿入できて、一方向クラッチを簡単安価に組み付けできる。
【００２５】
また、第１の発明の一方向クラッチの組み付け方法は、
上記第１の発明の保持器のポケットにころを配置すると共に、上記保持器の柱部と上記ころの間に付勢部材を配置した保持器アセンブリを形成する工程と、
一方向クラッチの外輪の断面略多角形状のカム面である内周係合面と内輪の円周面である外周面との間においてころが遊嵌する位置に、上記保持器アセンブリ中のころを配置するように、上記保持器アセンブリの保持器の非係合外周面を、一方向クラッチの外輪の内周係合面と内輪の外周面との間に非係合状態で軸方向から挿入する工程と、
上記保持器の係合部が、外輪の係合部と周方向の位置が一致するように、上記保持器アセンブリを回転させた後、上記保持器アセンブリを内輪の外周面と外輪の内周係合面との間に軸方向にさらに挿入して、上記保持器の係合部と、上記外輪の係合部とを係合させる工程と
を備えることを特徴としている。
【００２６】
上記第１の発明の一方向クラッチの組み付け方法によれば、専用設備を用いずに、一方向クラッチを簡単安価に組み付けることができる。
【００２７】
また、第２の発明の一方向クラッチの組み付け方法は、
第２の発明の保持器のポケットにころを配置すると共に、上記保持器の柱部と上記ころの間に付勢部材を配置した保持器アセンブリを形成する工程と、
一方向クラッチの外輪の円周面である内周面と内輪の断面略多角形状のカム面である外周係合面との間においてころが遊嵌する位置に、上記保持器アセンブリ中のころを配置するように、上記保持器アセンブリの保持器の非係合内周面を、一方向クラッチの外輪の内周面と内輪の外周係合面との間に非係合状態で軸方向から挿入する工程と、
上記保持器の係合部が、内輪の係合部と周方向の位置が一致するように、上記保持器アセンブリを回転させた後、上記保持器アセンブリを内輪の外周係合面と外輪の内周面との間に軸方向にさらに挿入して、上記保持器の係合部と、上記内輪の係合部とを係合させる工程と
を備えることを特徴としている。
【００２８】
上記第２の発明の一方向クラッチの組み付け方法によれば、専用設備を用いずに、一方向クラッチを簡単安価に組み付けることができる。
【発明の効果】
【００２９】
第１の発明の保持器によれば、一方の環状部の外端から柱部の軸方向の一部に至ると共に、保持器の係合部の外接円よりも所定寸法小さな円の内側に位置する非係合外周面を備えているので、保持器にころと付勢部材とを配置して形成した保持器アセンブリにおける保持器の係合部と、外輪の係合部との周方向の位置を一致させて、保持器アセンブリを一方向クラッチの外輪の内周係合面と内輪の外周面との間に挿入する前に、保持器アセンブリのころの一部を、外輪の内周係合面と内輪の外周面との遊嵌位置に予め挿入できる。したがって、従来の保持器を用いた一方向クラッチの組み付け方法のように、専用設備を用いてくさび位置付近にあるころを遊嵌位置付近まで移動させる必要がなくて、簡単安価に一方向クラッチを組み付け出来る。
【００３０】
また、一実施形態の保持器によれば、非係合外周面を円筒面にしたので、上記非係合外周面を簡単に加工できて、保持器を安価に製作できる。
【００３１】
また、第２の発明の保持器によれば、一方の上記環状部の外端から柱部の軸方向の一部に至ると共に、上記係合部の外接円よりも所定寸法大きな円の外側に位置する非係合内周面を備えているので、保持器にころと付勢部材とを配置して形成した保持器アセンブリにおける保持器の係合部と内輪の係合部との周方向の位置を一致させて、保持器アセンブリを一方向クラッチの外輪の内周面と内輪の外周係合面との間に挿入する前に、保持器アセンブリのころの一部を、外輪の内周面と内輪の外周係合面との遊嵌位置に予め挿入できる。したがって、従来の保持器を用いた一方向クラッチの組み付け方法のように、専用設備を用いてくさび位置付近にあるころを遊嵌位置付近まで移動させる必要がなくて、簡単安価に一方向クラッチを組み付け出来る。
【００３２】
また、一実施形態の保持器によれば、非係合内周面を円筒面にしたので、上記非係合内周面を簡単に加工できて、保持器を安価に製作できる。
【００３３】
また、第１の発明の一方向クラッチによれば、第１の発明の保持器を備えるので、専用設備を使わずに、この保持器アセンブリを一方向クラッチの外輪の内周係合面と内輪の外周面との間に簡単に挿入できて、一方向クラッチを簡単安価に組み付けることができる。
【００３４】
また、第２の発明の一方向クラッチによれば、第２の発明の保持器を備えるので、専用設備を使わずに、この保持器アセンブリを一方向クラッチの外輪の内周面と内輪の外周係合面との間に簡単に挿入できて、一方向クラッチを簡単安価に組み付けることができる。
【００３５】
また、第１および第２の発明の一方向クラッチの組み付け方法によれば、専用設備を用いずに、一方向クラッチを簡単安価に組み付けできる。
【発明を実施するための最良の形態】
【００３６】
以下、本発明を図示の実施の形態により詳細に説明する。
【００３７】
図１に、第１の発明の一実施形態の一方向クラッチ用の保持器を示す。この保持器は、環状部２と、この環状部２に対向する環状部３と、環状部２と環状部３との間を連結する６つの柱部４とを備える。上記６つの柱部４の間に、６つのポケット７を形成している。尚、８は、図示しない付勢部材の一例としてのコイルスプリングを取り付ける突出部である。
【００３８】
上記環状部２は、断面略正六角形の外周面１２と円筒内周面とを有する一方、環状部３は、環状部２の断面略正六角形の外周面１２の稜９の外接円よりも径方向の寸法が小さな外周円筒面１３と、上記環状部２の円筒内周面と等しい内径を有する円筒内周面とを有している。また、上記６つの柱部４を、環状部２の稜９を軸方向に延長して形成した軸方向の寸法が大きい三角柱状部分１４と、環状部３の一部を軸方向に延長して形成した外周円筒面１７を有する軸方向の寸法が小さい部分１５とを接続して形成している。
【００３９】
上記環状部２の外端から柱部４の軸方向の寸法が大きい三角柱状部分１４に至る稜９は、この保持器の係合部であって、一方向クラッチが組み付けられたとき、図示しない一方向クラッチの外輪の係合部と係合して、この外輪に対する保持器の周方向の回転を阻止する。
【００４０】
一方、上記環状部３の外端から柱部４の軸方向の寸法が小さい部分１５に至る外周円筒面１３,１７は、係合部である稜９の外接円よりも所定寸法小さな円の内側に位置する非係合外周面である。
【００４１】
図２に、図１に示す実施形態の保持器を用いて形成される保持器アセンブリを示す。この保持器センブリを、上記保持器にころ２２を配置すると共に、上記保持器の柱部４ところ２２の間に突出部８に取り付けた付勢部材の一例としてのコイルスプリング２１を配置して、形成している。この保持器センブリでは、コイルスプリング２１がころ２２を柱部４まで付勢している。また、上記ころ２２の一部が、ポケット７における軸方向の寸法が小さい部分１５の間から露出するようにしている。
【００４２】
図３に、図２に示す保持器アセンブリの嵌め込み先の空間を形成する外輪３１および内輪３５を示す。図３に示す外輪３１は、上記環状部２の断面略正六角形の外周面１２および柱部４の軸方向の寸法が大きい三角柱状部分１４の外周面と係合する内周係合面の一例としての断面略正六角形の内周カム面３７を有する一方、上記内輪３５は、上記環状部２,３の内周円筒面が嵌合する外周面としての外周円筒面３８を有している。上記外輪３１の断面略正六角形の内周カム面３７の頂角は係合部であって、一方向クラッチが組み付けられたとき、上記保持器の係合部としての稜９と係合して外輪３１に対して保持器を静止させる。
【００４３】
以下に、図２および図３を用いて、この発明の一実施形態の一方向クラッチの組み付け方法を説明する。
【００４４】
先ず、図３に示す外輪３１の内周カム面３７と内輪３５の外周円筒面３８との間における図２に示す保持器アセンブリのころ２２が遊嵌する位置に、ポケット７における軸方向の寸法が小さい部分１５の間から露出しているころ２２の一部分を配置するように、上記保持器アセンブリの非係合外周面である外周円筒面１３,１７を、外輪３１の内周カム面３７と内輪３５の外周円筒面３８との間に、図３および図４に矢印Ａ（図３と図４の矢印Ａは同じ矢印を示すものとする）で示す方向に軸方向から非係合状態で挿入する。
【００４５】
次に、図２に示す保持器アセンブリの保持器の稜９と外輪３１の円周カム面３７の頂角との周方向の位置が一致するように、保持器アセンブリを図２に矢印Ｂで示す方向に回転させた後、保持器アセンブリを外輪３１の内周カム面３７と内輪３５の外周円筒面３８との間に、図３および図４に矢印Ａで示す方向に軸方向に最後まで挿入して、上記保持器の稜９と、外輪３１の内周カム面３７の頂角とを係合させてこの発明の一実施形態の一方向クラッチの組み付けを完了する。
【００４６】
上記実施形態の保持器によれば、環状部３の外端から柱部４の軸方向の寸法が小さい部分１５に至ると共に、保持器の係合部である環状部２の外端から柱部４の軸方向の寸法が大きい三角柱状部分１４に至る稜９よりも所定寸法小さな円の内側に位置する外周円筒面１３,１７を備えているので、保持器の係合部である稜９と外輪３１の係合部との周方向の位置を一致させて保持器アセンブリを外輪３１の内周カム面３７と内輪３５の外周円筒面３８との間に挿入する前に、ポケット７における非係合外周面の一部である柱部４の外周円筒面１７の間の部分から露出しているころ２２の一部を、外輪３１の内周カム面３７と内輪３５の外周円筒面３８との遊嵌位置に予め挿入できる。したがって、従来の一方向クラッチの組み付け方法のように、専用設備を用いてくさび位置付近にあるころを遊嵌位置付近まで移動させる必要がなくて、専用設備を必要とせずに簡単安価に一方向クラッチを組み付けることができる。
【００４７】
また、上記実施形態の保持器によれば、非係合外周面を外周円筒面１３,１７にしたので、非係合外周面を簡単に加工できて、保持器を安価に製作できる。
【００４８】
尚、上記実施形態の保持器では、環状部３の外端から柱部４の軸方向の寸法が小さい部分１５に至る非係合外周面を、保持器の係合部である稜９の外接円よりも所定寸法小さな円の内側に位置する同一直径の外周円筒面１３,１７で形成したが、一方の環状部の外端から柱部の軸方向の寸法が小さい部分に至る非係合外周面を、例えば、保持器の係合部である稜の外接円よりも所定寸法小さな円の内側に位置する断面多角形状等の外周面等で形成しても良い。また、一方の環状部の外端から柱部の軸方向の寸法が小さい部分に、保持器の係合部である稜の外接円よりも所定寸法小さな円の内側に位置すると共に、段部を介して連なる異径の複数の外周円筒面を形成しても良い。係合部の外接円よりも所定寸法小さな円の内側に、一方の上記環状部の外端から柱部の軸方向の一部に至る部分の全てが収まるような形状であれば、一方の上記環状部の外端から柱部の軸方向の一部に至る部分はどのような形状であっても良い。
【００４９】
図４は、第２の発明の一実施形態の保持器の正面図であり、図５は、この実施形態の保持器の軸方向の断面図である。
【００５０】
この保持器は、図４および図５に示すように、環状部５０と、この環状部５０に対向する環状部５１と、上記２つの環状部５０,５１の間を軸方向に連結する６つの柱部４７とを備える。上記６つの柱部４７の間に、ころを配置するための６つのポケット４８を形成している。
【００５１】
上記環状部５１およびこの環状部５１の頂角４６に連なる軸方向の寸法が大きい柱部４７の大部分は、断面略正六角形の内周面４１と、円筒外周面４５とを有している。上記断面略正六角形の内周面４１の６つの頂角４６は、図示しない一方向クラッチの断面略正六角形の内輪の係合部である稜と係合する係合部になっている。
【００５２】
また、上記保持器は、図４および図５に示すように、環状部５０の外端から柱部４７の軸方向の一部に至ると共に、上記係合部である頂角４６の外接円よりも所定寸法大きな円の外側に位置する非係合内周面としての内周円筒面４９を有している。
【００５３】
上記実施形態の保持器によれば、環状部５０の外端から柱部４７の軸方向の一部に至ると共に、係合部である頂角４６の外接円よりも所定寸法大きな円の外側に位置する内周円筒面４９を備えているので、この保持器のポケット４８に図示しないころとコイルスプリングを配置して形成した保持器アセンブリにおける保持器の頂角４６と、内輪の係合部（図示せず）との周方向の位置を一致させて、保持器アセンブリを一方向クラッチの外輪の内周円筒面と内輪の外周カム面との間に軸方向に挿入する前に、ポケット４８における柱部４７の内周円筒面４９の間から露出した上記ころの一部分を、外輪の内周円筒面と内輪の外周カム面との遊嵌位置に予め挿入できる。したがって、従来の一方向クラッチの組み付け方法のように、専用設備を用いてくさび位置付近にあるころを遊嵌位置付近まで移動させる必要がなくて、専用設備を必要とせずに、簡単安価に一方向クラッチを組み付け出来る。
【００５４】
また、上記実施形態の保持器によれば、非係合内周面を円筒内周面４９にしたので、非係合内周面を簡単に加工できて、保持器を安価に製作できる。
【００５５】
尚、上記実施形態の保持器では、非係合内周面を、環状部５０の外端から柱部４７の軸方向の一部に至る１つの内周円筒面４９で形成したが、非係合内周面を、一方の環状部の外端から柱部の軸方向の寸法が小さい部分に至る断面多角形状等の１つの内周面等で形成しても良い。また、一方の環状部の外端から柱部の軸方向の一部の間に、保持器の係合部である頂角の外接円よりも所定寸法大きな円の外側に位置する異径の複数の円筒面を形成しても良い。係合部の外接円よりも所定寸法大きな円の外側に、一方の上記環状部の外端から柱部の軸方向の一部に至る部分の全てが収まるような形状であれば、一方の上記環状部の外端から柱部の軸方向の一部に至る部分はどのような形状であっても良い。
【００５６】
また、上記一つ目の実施形態では、ころを用いたが、この発明では、ころは、係合子としての機能を持っていれば良く、スプラグ等であっても良い。
【００５７】
また、付勢部材は、板バネであっても良い。
【図面の簡単な説明】
【００５８】
【図１】第１の発明の一実施形態の保持器を示す図である。
【図２】図１の保持器にころとコイルスプリングを配置して形成した保持器アセンブリを示す図である。
【図３】図２の保持器アセンブリの嵌め込み先の空間を形成する外輪と内輪を示す図である。
【図４】第２の発明の一実施形態の保持器の正面図である。
【図５】図４の保持器の軸方向の断面図である。
【図６】従来の保持器を示す図である。
【符号の説明】
【００５９】
２,３,５０,５１  環状部
４,４７  柱部
７,４８  ポケット
９  稜
１３,１７  外周円筒面
２１  コイルスプリング
２２  ころ
３１  外輪
３５  内輪
３７  内周カム面
３８  外周円筒面
４６  頂角
４９  内周円筒面
【図１】
2005163991.tif 000003
【図２】
2005163991.tif 000004
【図３】
2005163991.tif 000005
【図４】
2005163991.tif 000006
【図５】
2005163991.tif 000007
【図６】
2005163991.tif 000008